(57)【要約】【課題】前側フレーム片と後側フレーム片とから構成されるシートバックフレームであって、組立てを効率的に行うことができるシートバックフレームを提供する。【解決手段】シートバックフレームは、前側フレーム片４１と後側フレーム片４０とから構成された樹脂製のものである。シートバックフレームの幅方向の端部に設けられたサイドフレームは、前側フレーム片４１が有する前側サイドフレーム部と、後側フレーム片４０が有する後側サイドフレーム部とから構成される。サイドフレームにおける幅方向の一端部では、前側サイドフレーム部と後側サイドフレーム部とが幅方向に重なって互いに接合されている。一方、サイドフレームにおける幅方向の他端部のうち、少なくとも一部の領域では、前側サイドフレーム部と後側サイドフレーム部とがシートバックフレームの前後方向において互いに離間して隙間４６を形成している。【選択図】図５
2015098280.tif 000002
【特許請求の範囲】
【請求項１】
前側フレーム片と後側フレーム片とから構成された樹脂製のシートバックフレームであって、
該シートバックフレームの幅方向の端部に設けられたサイドフレームは、前記前側フレーム片が有する前側サイドフレーム部と、前記後側フレーム片が有する後側サイドフレーム部とを組み合わせることにより構成され、
前記サイドフレームにおける前記幅方向の一端部では、前記前側サイドフレーム部と前記後側サイドフレーム部とが前記幅方向に重なって互いに接合されており、
前記サイドフレームにおける前記幅方向の他端部のうち、少なくとも一部の領域では、前記前側サイドフレーム部と前記後側サイドフレーム部とが前記シートバックフレームの前後方向において互いに離間して隙間を形成していることを特徴とするシートバックフレーム。
【請求項２】
前記幅方向の他端部は、前記シートバックフレームの前記幅方向の内側にあることを特徴とする請求項１に記載のシートバックフレーム。
【請求項３】
前記前側フレーム片及び前記後側フレーム片の少なくともいずれかの前記シートバックフレームの幅方向の外側の部位であって、前記前側サイドフレーム部と前記後側サイドフレーム部とが前記幅方向に重なって接合されている部位の近傍に、前記幅方向に開いた開口が形成されていることを特徴とする請求項１又は２に記載のシートバックフレーム。
【請求項４】
前記後側フレーム片に、前記シートバックフレームの前記幅方向に架設される弾性部材を取り付ける弾性部材取付部が形成されていることを特徴とする請求項１乃至３のいずれか１項に記載のシートバックフレーム。
【請求項５】
前記弾性部材取付部は、前記後側フレーム片から前記シートバックフレームの前記幅方向の内側に張り出していることを特徴とする請求項４に記載のシートバックフレーム。
【請求項６】
前記弾性部材取付部は、上下に複数形成されており、
前記前側サイドフレーム部と前記後側サイドフレーム部とは、上下に配置された前記弾性部材取付部の間であり前記サイドフレームにおける前記幅方向の前記他端部で、前記幅方向に重なって接合されていることを特徴とする請求項４又は５に記載のシートバックフレーム。
【請求項７】
前記弾性部材取付部は、前記シートバックフレームの前記幅方向内側に向かって突出する凸状の形状を有して、該凸状の形状の突出部側の角部分を跨ぐように形成された孔を有し、
該孔には、前記弾性部材が挿入されて掛け止めされることを特徴とする請求項４乃至６のいずれか１項に記載のシートバックフレーム。
【請求項８】
前記前側フレーム片又は前記後側フレーム片の前記サイドフレームを構成する部位における前記シートバックフレームの前記幅方向の外側に、エアバッグ収納用のエアバッグケースが取り付けられるエアバッグ取付部が形成されており、
前記前側サイドフレーム部と前記後側サイドフレーム部とは、前記エアバッグ取付部が形成されている部位における前記シートバックフレームの前記幅方向の内側で、前記幅方向に重なって接合されていることを特徴とする請求項１乃至７のいずれか１項に記載のシートバックフレーム。
【請求項９】
前記前側サイドフレーム部と前記後側サイドフレーム部とは、固定具によって固定されており、該固定具によって固定されている部位の前記幅方向の他端部側で、前記幅方向に重なって接合されていることを特徴とする請求項１乃至８のいずれか１項に記載のシートバックフレーム。
【請求項１０】
前記前側フレーム片又は前記後側フレーム片の前記サイドフレームを構成する部位における前記シートバックフレームの前記幅方向の外側に、アームレストの回動軸が取り付けられるアームレスト取付部が形成されており、
前記前側サイドフレーム部と前記後側サイドフレーム部とは、前記アームレスト取付部が形成されている部位の前記幅方向の内側で、前記幅方向に重なって接合されていることを特徴とする請求項１乃至９のいずれか１項に記載のシートバックフレーム。
【発明の詳細な説明】
【技術分野】
【０００１】
本発明は、シートバックフレームに係り、特に、樹脂材料からなる前側フレーム片と後側フレーム片とを組み合せて形成されるシートバックフレームに関する。
【背景技術】
【０００２】
車両部品の軽量化等のために、金属材料ではなく、樹脂成形品をシートバックのフレームに採用することがある。
例えば、特許文献１には、シートバックフレームの軽量化、組立の効率化を図るために、樹脂成形品から成るシートバックフレームのサイドフレームを振動溶着することによって成形する技術が開示されている。
特許文献１に開示されている技術は、具体的には、外側半体に形成された上下に延びる溶着用突条と内側半体に形成された上下に延びる溶着用受部とから成る２箇所の部位を振動溶着することによって、シートバックフレームを比較的簡単に組立てることができるというものである。更に、サイドフレームを構成する内側半体と外側半体とを互いに固定して中空の閉断面を成すことで、剛性を向上させるというものである。
【先行技術文献】
【特許文献】
【０００３】
【特許文献１】特開２００４−３２２８８１号公報
【発明の概要】
【発明が解決しようとする課題】
【０００４】
しかしながら、特許文献１に記載された車両用シートのシートバックフレームにおいては、組立ての効率化という面では十分なものではなかった。
具体的には、サイドフレームを閉断面形状とするために、溶着用突条と溶着用受部との２箇所を振動溶着しなくてはならず、振動溶着を施す箇所が上下方向に広範囲にわたり位置決めが困難であるため、シートバックフレームの組立てを効率的に行うことができなかった。
【０００５】
また、サイドフレームのすべてを閉断面形状とすると、その剛性によりクッション性が損なわれ着座者に違和感を生じさせることがあった。また、特許文献１のように、溶着用突条と溶着用受部との２箇所の溶着部が対向する側にあり閉断面形状であると、回り込んで視点を変えなければ、その溶着部の溶着状態を確認することはできなかった。
【０００６】
また、軽量化することを重視し過ぎることによって、必要な剛性を確保できなくなることがあった。
【０００７】
そこで、本発明は、上記の問題に鑑みてなされたものであり、その目的は、組立効率の高いシートバックフレームを提供することにある。
また、本発明の他の目的は、シートに着座する着座者の違和感を低減することにある。
また、本発明の他の目的は、前側フレーム片と後側フレーム片と接合状態を容易に確認できるようにすることにある。
また、本発明の他の目的は、軽量化しつつ、必要な剛性を確保することにある。
【課題を解決するための手段】
【０００８】
前記課題は、本発明に係るシートバックフレームによれば、前側フレーム片と後側フレーム片とから構成された樹脂製のシートバックフレームであって、該シートバックフレームの幅方向の端部に設けられたサイドフレームは、前記前側フレーム片が有する前側サイドフレーム部と、前記後側フレーム片が有する後側サイドフレーム部とを組み合わせることにより構成され、前記サイドフレームにおける前記幅方向の一端部では、前記前側サイドフレーム部と前記後側サイドフレーム部とが前記幅方向に重なって互いに接合されており、前記サイドフレームにおける前記幅方向の他端部のうち、少なくとも一部の領域では、前記前側サイドフレーム部と前記後側サイドフレーム部とが前記シートバックフレームの前後方向において互いに離間して隙間を形成していることで解決される。
【０００９】
上記の構成であれば、前側フレーム片の前側サイドフレーム部と後側フレーム片の後側サイドフレーム部との間で互いに重ならずに離間した隙間がサイドフレームにおける幅方向の他端部に形成されていることで、幅方向の両端部で重なって接合されているものと比較して、接合する作業が少なくなることによって、両者を組み付ける際の組立効率を高めることができる。
【００１０】
また、前記幅方向の他端部は、前記シートバックフレームの前記幅方向の内側にあると好ましい。
上記の構成であれば、シートバックフレームの幅方向の内側における前側フレーム片と後側フレーム片との間に隙間があることで、その隙間にシートバックフレームに被せられるクッション材が入り込むことを許容して着座者を受け入れやすくなり、シートに着座する着座者の違和感を低減させ、また、サイドフレームの幅方向外側に機器を取り付けやすくすることができる。
【００１１】
更に、前記前側フレーム片及び前記後側フレーム片の少なくともいずれかの前記シートバックフレームの幅方向の外側の部位であって、前記前側サイドフレーム部と前記後側サイドフレーム部とが前記幅方向に重なって接合されている部位の近傍に、前記幅方向に開いた開口が形成されていると好ましい。
上記の構成であれば、前側サイドフレーム部と後側サイドフレーム部と幅方向に重なって接合されている部位の近傍に、幅方向に開いた開口が形成されていることで、前側サイドフレーム部と後側サイドフレーム部との接合状態を開口から容易に確認することができる。
【００１２】
また、前記後側フレーム片に、前記シートバックフレームの前記幅方向に架設される弾性部材を取り付ける弾性部材取付部が形成されていると好ましい。
上記の構成では、後側フレーム片に弾性部材を取り付けることで弾性部材の弾性変形範囲を後方側に広くでき、後方に凭れかかる着座者を好適に支持できる。
【００１３】
更に、前記弾性部材取付部は、前記後側フレーム片から前記シートバックフレームの前記幅方向の内側に張り出していると好ましい。
上記の構成では、弾性部材取付部が幅方向内側に張り出した形状であることによって、それ自身の剛性を高めることができ、更に弾性部材を幅方向にコンパクトに配設することができる。
【００１４】
更に、前記弾性部材取付部は、上下に複数形成されており、前記前側サイドフレーム部と前記後側サイドフレーム部とは、上下に配置された前記弾性部材取付部の間であり前記サイドフレームにおける前記幅方向の前記他端部で、前記幅方向に重なって接合されていると好ましい。
上記の構成では、上下に配された弾性部材取付部の間で、前側サイドフレーム部と後側サイドフレーム部とが幅方向の他端部で重なって接合されていることで、単体としては剛性を向上させることが構造上困難な弾性部材取付部を含めて、全体としてサイドフレームの剛性を向上させることができる。
【００１５】
更に、前記弾性部材取付部は、前記シートバックフレームの前記幅方向内側に向かって突出する凸状の形状を有して、該凸状の形状の突出部側の角部分を跨ぐように形成された孔を有し、該孔には、前記弾性部材が挿入されて掛け止めされると好ましい。
上記の構成であれば、弾性部材取付部は、凸状に形成されており、弾性部材取付部の突出部側にある剛性の高い角部分を跨ぐように形成された孔を有することで、孔が形成されることによる剛性の低下を抑制でき、弾性部材を弾性部材取付部に取り付けることが容易となる。
【００１６】
更に、前記前側フレーム片又は前記後側フレーム片の前記サイドフレームを構成する部位における前記シートバックフレームの前記幅方向の外側に、エアバッグ収納用のエアバッグケースが取り付けられるエアバッグ取付部が形成されており、前記前側サイドフレーム部と前記後側サイドフレーム部とは、前記エアバッグ取付部が形成されている部位における前記シートバックフレームの前記幅方向の内側で、前記幅方向に重なって接合されていると好ましい。
上記の構成であれば、エアバッグ取付部が形成されている部位の幅方向の内側で前側フレーム片と後側フレーム片とが厚さ方向に重なって接合されていることで、エアバッグケース取付部近傍の剛性を高めることができる。
【００１７】
また、前記前側サイドフレーム部と前記後側サイドフレーム部とは、固定具によって固定されており、該固定具によって固定されている部位の前記幅方向の他端部側で、前記幅方向に重なって接合されていると好ましい。
上記の構成では、固定具によって固定されている部位の幅方向の他端部側で、前側フレーム片と後側フレーム片とが幅方向に重なって接合されていることで、固定部近傍の剛性を高めることができる。
【００１８】
また、前記前側フレーム片又は前記後側フレーム片の前記サイドフレームを構成する部位における前記シートバックフレームの前記幅方向の外側に、アームレストの回動軸が取り付けられるアームレスト取付部が形成されており、前記前側サイドフレーム部と前記後側サイドフレーム部とは、前記アームレスト取付部が形成されている部位の前記幅方向の内側で、前記幅方向に重なって接合されていると好ましい。
上記の構成では、サイドフレームを構成する部位におけるアームレスト取付部が形成されている部位のシート幅方向の内側で前側フレーム片と後側フレーム片とが幅方向に重なって接合されていることで、アームレスト取付部近傍の剛性を高めることができる。
【発明の効果】
【００１９】
本発明のシートバックフレームによれば、前側フレーム片の前側サイドフレーム部と後側フレーム片の後側サイドフレーム部との間で互いに重ならずに離間した隙間がサイドフレームにおける幅方向の他端部に形成されていることで、幅方向の両端部で重なって接合されているものと比較して、接合する作業が少なくなることによって、両者を組み付ける際の組立効率を高めることができる。
また、本発明のシートバックフレームによれば、シートバックフレームの幅方向の内側における前側フレーム片と後側フレーム片との間に隙間があることで、その隙間にシートバックフレームに被せられるクッション材が入り込むことを許容して着座者を受け入れやすくなり、シートに着座する着座者の違和感を低減させ、また、サイドフレームの幅方向外側に機器を取り付けやすくすることができる。
更に、本発明のシートバックフレームによれば、前側サイドフレーム部と後側サイドフレーム部と幅方向に重なって接合されている部位の近傍に、幅方向に開いた開口が形成されていることで、前側サイドフレーム部と後側サイドフレーム部との接合状態を開口から容易に確認することができる。
また、本発明のシートバックフレームによれば、後側フレーム片に弾性部材を取り付けることで弾性部材の弾性変形範囲を後方側に広くでき、後方に凭れかかる着座者を好適に支持できる。
更に、本発明のシートバックフレームによれば、弾性部材取付部がシート幅方向内側に張り出した形状であることによって、それ自身の剛性を高めることができ、更に弾性部材をシート幅方向にコンパクトに配設することができる。
更に、本発明のシートバックフレームによれば、上下に配された弾性部材取付部の間で、前側サイドフレーム部と後側サイドフレーム部とが幅方向の他端部で重なって接合されていることで、単体としては剛性を向上させることが構造上困難な弾性部材取付部を含めて、全体としてサイドフレームの剛性を向上させることができる。
更に、本発明のシートバックフレームによれば、弾性部材取付部は、凸状に形成されており、弾性部材取付部の突出部側にある剛性の高い角部分を跨ぐように形成された孔を有することで、孔が形成されることによる剛性の低下を抑制でき、弾性部材を弾性部材取付部に取り付けることが容易となる。
更に、本発明のシートバックフレームによれば、エアバッグ取付部が形成されている部位の幅方向の内側で前側フレーム片と後側フレーム片とが厚さ方向に重なって接合されていることで、エアバッグケース取付部近傍の剛性を高めることができる。
また、本発明のシートバックフレームによれば、固定具によって固定されている部位の幅方向の他端部側で、前側フレーム片と後側フレーム片とが厚さ方向に重なって接合されていることで、固定部近傍の剛性を高めることができる。
また、本発明のシートバックフレームによれば、サイドフレームを構成する部位におけるアームレスト取付部が形成されている部位のシート幅方向の内側で前側フレーム片と後側フレーム片とが幅方向に重なって接合されていることで、アームレスト取付部近傍の剛性を高めることができる。
【図面の簡単な説明】
【００２０】
【図１】本発明の第１の実施形態に係る車両用シートの斜視図である。
【図２】第１の実施形態に係るシートフレームを示す斜視図である。
【図３】第１の実施形態に係る後側フレーム片及び前側フレーム片を示す斜視図である。
【図４】図２に示されたサイドフレームのIV-IV断面を示す断面矢視図である。
【図５】図２に示されたシートフレームのV-V断面を示す断面矢視図である。
【図６】（Ａ）は、ばね取付部の正面を示す模式図、（Ｂ）は、ばね取付部の側面を示す模式図である。
【図７】第２の実施形態に係るサイドフレームを示す図であり、図２のV-V断面に対応する断面を示す断面矢視図である。
【図８】図７のVIII-VIII断面を示す断面矢視図である。
【図９】第３の実施形態に係るサイドフレームを示す図であり、図２のV-V断面に対応する断面を示す断面矢視図である。
【図１０】第４の実施形態に係るサイドフレームを示す図であり、図２のV-V断面における矢視方向の逆方向の断面を示す断面矢視図である。
【発明を実施するための形態】
【００２１】
以下、本発明の一実施形態（以下、本実施形態）に係るシートバックフレームについて説明する。
ここで、以下の説明中、シートバックフレームの前後方向とは、着座者がシートに座った状態における着座者を基準とした前後方向のことであり、以下では単に前後方向と呼ぶ。また、シートバックフレームの幅方向とは、シートバックフレームの横幅に沿う方向と一致する方向のことであり、以下では単に幅方向又はシート幅方向と呼ぶ。また、上下方向とは、シートバックフレームの上下方向のことである。
以下の説明で述べる方向や位置は、上記の状態における方向や位置であることとする。
【００２２】
＜＜第１の実施形態＞＞
本発明の第１の実施形態（以下、本実施形態）に係るシートバックフレーム４、及びシートバックフレーム４を備える車両用シートＳについて、図１〜６を参照して説明する。
【００２３】
ここで、図１は、本発明の第１の実施形態に係る車両用シートＳの斜視図、図２は、第１の実施形態に係るシートフレーム３を示す斜視図、図３は、第１の実施形態に係る後側フレーム片４０及び前側フレーム片４１を示す斜視図、図４は、図２に示されたサイドフレーム４ｓのIV-IV断面を示す断面矢視図、図５は、図２に示されたシートフレーム３のV-V断面を示す断面矢視図、図６（Ａ）は、ばね取付部４３の正面を示す模式図、図６（Ｂ）は、ばね取付部４３の側面を示す模式図である。
【００２４】
車両用シートＳは、図１に示すように、乗員の臀部を支持するシートクッション１、乗員が凭れ掛かるシートバック２を構成要素として備える。シートクッション１及びシートバック２は、それぞれ、クッションフレーム５にクッションパッド１ａ、シートバックフレーム４にクッションパッド２ａが配され、さらに表皮材１ｂ，２ｂで被覆されて構成されている。
【００２５】
本実施形態に係る車両用シートＳのシートフレーム３は、図２に示すように、シートバック２を構成するシートバックフレーム４とシートクッション１を構成するクッションフレーム５とを有する。シートバックフレーム４及びクッションフレーム５は、樹脂材料としての炭素繊維強化プラスチック（以下、ＣＦＲＰと記載する。）から成り、それぞれの各部品は、金型成形によって一体成形されている。
【００２６】
なお、シートバックフレーム４及びクッションフレーム５の材質についてはＣＦＲＰに限定されず、ＣＦＲＰ以外の他の樹脂材料、例えば、ガラス繊維入りのプラスチック、炭素繊維なしのプラスチックで形成されたものであってもよい。また、シートバックフレーム４及びクッションフレーム５の成形方法については、金型内にＣＦＲＰを投入して一体成形する場合に限定されず、金型成形以外の方法、例えば、樹脂材料からなるシートをフレーム形状に合わせて積層させることでシートバックフレーム４及びクッションフレーム５を成形することとしてもよい。
【００２７】
シートバックフレーム４は、図３に示すように、正面視において略矩形状に形成された後側フレーム片４０と、後側フレーム片４０の前側に接合され、正面視において略倒立Ｕ字状であり、下側がシート幅方向において離間している前側フレーム片４１とから構成されている。前側フレーム片４１と後側フレーム片４０は、前後方向に組み合わせられるものであり、外形が略一致するように、各部の形状が対応して形成されている。
【００２８】
後側フレーム片４０は、シート幅方向の左右において上下に延在する後側サイドフレーム部４０ｓと、後側サイドフレーム部４０ｓからシート幅方向内方に凸状に突出する後述するばね取付部４３とを備える。
後側サイドフレーム部４０ｓは、後述する前側フレーム片４１の前側サイドフレーム部４１ｓと接合されて、シートバックフレーム４のサイドフレーム４ｓを構成する。後側サイドフレーム部４０ｓは、具体的には、図４に示すように、後面部４０ａと本発明に係る他端部としての内側部４０ｂと本発明に係る一端部としての外側部４０ｃとから構成されて断面略倒立Ｕ字状に形成されており、外側部４０ｃが後述する前側フレーム片４１の外側部４１ｃに接合されている。
【００２９】
また、後側フレーム片４０には、図２に示すように、本発明に係る弾性部材としてのＳばねである線ばね４２が取り付けられている。線ばね４２は、上下に一対設けられており、ばね取付部４３に両端を取り付けられている。
【００３０】
本発明に係る弾性部材取付部としてのばね取付部４３は、２本の線ばね４２が取り付けられるように、上下に２箇所、後側フレーム片４０のシート幅方向左右に一対ずつ形成されている。具体的には、図２及び図６に示すように、ばね取付部４３は、左右の後側サイドフレーム部４０ｓから内側に凸状に張り出して形成されており、突出部側の角部分に跨って斜面に延在する通し孔４３ａを有する。通し孔４３ａに線ばね４２の端部が通されて、線ばね４２が後側フレーム片４０に取り付けられることとなる。
なお、通し孔４３ａは、ばね取付部４３における剛性の高い角部分に跨って形成されていることで、ばね取付部４３の全体の剛性が低減することが抑制されている。
【００３１】
このように、後側フレーム片４０にばね取付部４３が形成されていることで、前側フレーム片４１に形成されている場合と比較して、着座者が凭れかかる後方の撓み量を大きくすることができ、着座者に対するクッション性を向上させることができる。また、ばね取付部４３が左右の後側サイドフレーム部４０ｓから内側に凸状に張り出して形成されているため、張り出して形成されていないものと比べてばね取付部４３の剛性が高まり、更に、線ばね４２をシート幅方向にコンパクトに配設することができる。
【００３２】
前側フレーム片４１は、シート幅方向の左右において、上方に延在する前側サイドフレーム部４１ｓを備えて、正面視において略倒立Ｕ字状に形成されている。
前側サイドフレーム部４１ｓは、図４に示すように、前面部４１ａと本発明に係る他端部としての内側部４１ｂと本発明に係る一端部としての外側部４１ｃとから構成されて断面略Ｕ字状に形成されている。前側サイドフレーム部４１ｓは、外側部４１ｃの外側面が後側フレーム片４０の外側部４０ｃの内側面に厚さ方向に重ねられた部分において、図５に示す接着剤４７や本発明に係る固定具としてのリベット４４等によって、後側サイドフレーム部４０ｓに接合されている。
なお、後側フレーム片４０と前側フレーム片４１とが前後に重ね合わせられた状態において、後側フレーム片４０の内側部４０ｂと前側フレーム片４１の内側部４１ｂとは、その大部分において幅方向に重ならずに離間して、前後方向に隙間４６を形成するように配置されている。
【００３３】
このように、サイドフレーム４ｓは、後側フレーム片４０の外側部４０ｃと前側フレーム片４１の外側部４１ｃとが重なった部分のみで接合されて構成されているため、閉断面を構成するように２箇所で重ねられて接合されたものと比較して、重なる部分が少なく接合部分が少ない。このため、後側フレーム片４０と前側フレーム片４１とを接合する接合作業が容易となり、シートバックフレーム４の組立て作業の効率を高めることができる。
更に、隙間４６がシート幅方向内側に形成されていることで、隙間４６にクッション材が入り込むことを許容し、そのクッション材の移動の許容量分、シート幅方向内側に着座する着座者を受け入れやすくなることで、着座者に違和感を生じさせることを抑制できる。一方、サイドフレーム４ｓのシート幅方向外側には、隙間４６が形成されていないので、後述するエアバッグケース６やアームレスト７等の外部機器の取り付けが容易となる。
【００３４】
また、図５に示すように、後側フレーム片４０の外側部４０ｃには、開口４５が形成されている。この開口４５は、後側フレーム片４０の外側部４０ｃと前側フレーム片４１の外側部４１ｃとが重なった部分の近傍に形成されている。なお、後側フレーム片４０の外側部４０ｃと前側フレーム片４１の外側部４１ｃとが重なった部分の一部は、図５において、前側フレーム片４１の内側部４１ｂからが露出している。
このように開口４５が形成されていることによって、シートバックフレーム４を組立てる作業者は、開口４５を介して、外側部４０ｃと外側部４１ｃの結合状態、例えば、接着剤４７の塗布状態を確認することができる。
更に、ばね取付部４３の近傍に開口４５を形成するようにしもよい。このようにすれば、作業者は、開口４５を介して、線ばね４２のばね取付部４３への取付状態を確認することができる。
【００３５】
以上のように、第１の実施形態に係るシートバックフレーム４は、後側フレーム片４０の後側サイドフレーム部４０ｓと、前側フレーム片４１の前側サイドフレーム部４１ｓとのシート幅方向における重なり部分が、外側部４０ｃと外側部４１ｃとの間のみである。このため、これらの部分のみを接合すればサイドフレーム４ｓを形成することができ、サイドフレーム４ｓ全体が閉断面形状に形成されたものと比較して組み付けが効率的に行えることとなる。
【００３６】
＜＜第２の実施形態＞＞
次に、第２の実施形態に係るサイドフレーム８ｓについて、図７及び図８を参照して説明する。
ここで図７は、第２の実施形態に係るサイドフレーム８ｓを示す図であり、図２のV-V断面に対応する断面を示す断面矢視図、図８は、図７のVIII-VIII断面を示す断面矢視図である。
【００３７】
第２の実施形態に係るサイドフレーム８ｓは、後側フレーム片４０の内側部４０ｂと前側フレーム片４１の内側部４１ｂとの間に隙間４６が形成されている点については第１実施形態に係るサイドフレーム４ｓと変わりはないが、その一部が所定箇所で閉断面を形成するように重ねられて接合されている点で異なる。
【００３８】
具体的には、前側フレーム片４１は、その内側部４１ｂの一部に後側フレーム片４０の内側部４０ｂ側に向かって延出する延出部４１ｅを備える。延出部４１ｅが形成されている箇所においては、サイドフレーム８ｓは閉断面となり、剛性が高められることとなる。
延出部４１ｅは、ばね取付部４３近傍を避けて、上下のばね取付部４３の間に形成されている。このように延出部４１ｅが形成されていることによって、ばね取付部４３の周辺の剛性の向上させることができ、剛性を向上させることが構造上困難なばね取付部４３を含めて、全体としての剛性を向上させることができる。
【００３９】
＜＜第３の実施形態＞＞
次に、第３の実施形態に係るサイドフレーム９ｓについて、図９を参照して説明する。図９は、第３の実施形態に係るサイドフレーム９ｓを示す図であり、図２のV-V断面に対応する断面を示す断面矢視図である。
【００４０】
第３の実施形態に係るサイドフレーム９ｓの外側面には、図示せぬエアバッグを収納するエアバッグケース６が取り付けられている。そして、サイドフレーム９ｓは、エアバッグケース６をサイドフレーム９ｓに締結する２個の締結具６ａに対向する位置で、図８に示したものと同様の閉断面に形成されている。
具体的には、前側フレーム片４１の内側部４１ｂにおける２個の締結具６ａに対向する位置に、後側フレーム片４０に向かって延出する２個の延出部４１ｆが形成されており、図８に示した第２の実施形態に係る延出部４１ｅと同様に、後側フレーム片４０の内側部４０ｂと前側フレーム片４１の内側部４１ｂとが重ねられて接合されている。
【００４１】
このように、エアバッグケース６の締結具６ａに対向する部分のサイドフレーム９ｓを閉断面として剛性を高めることで、エアバッグケース６の締結位置がずれることを抑制することができる。
【００４２】
＜＜第４の実施形態＞＞
次に、第４の実施形態に係るサイドフレーム１０ｓについて、図１０を参照して説明する。図１０は、第４の実施形態に係るサイドフレーム１０ｓを示す図であり、図２のV-V断面における矢視方向の逆方向の断面を示す断面矢視図である。
【００４３】
第４の実施形態に係るサイドフレーム１０ｓの外側面には、本発明のアームレスト取付部としてのブラケット７ａを介してアームレスト７が取り付けられている。ブラケット７ａは、アームレスト７の回動軸７ｂを回動可能に支持するための取付部品である。
そして、サイドフレーム１０ｓにおいては、ブラケット７ａに対向する位置で、サイドフレーム１０ｓが閉断面を成すように構成されている。
具体的には、サイドフレーム１０ｓにおける前側フレーム片４１の内側部４１ｂにおけるブラケット７ａに対向する位置に、後側フレーム片４０に向かって延出する延出部４１ｇが形成されており、図８に示した第２の実施形態に係る延出部４１ｅと同様に、後側フレーム片４０の内側部４０ｂと前側フレーム片４１の内側部４１ｂとが重ねられて接合されている。
【００４４】
延出部４１ｇが形成されている部位において、サイドフレーム９ｓは閉断面となる。また、アームレスト７からの荷重は、ブラケット７ａを介してサイドフレーム１０ｓに加わるため、ブラケット７ａに対向する部分のサイドフレーム９ｓを閉断面となり剛性が高まることで、アームレスト７を安定的に支持することが可能となる。
【００４５】
上記の実施形態は、本発明の理解を容易にするための一例に過ぎず、本発明を限定するものではない。すなわち、上記の実施形態に係るシートバックフレームの各部の形状、寸法、配置等、シートバック製造方法の製造工程については、本発明の趣旨を逸脱することなく、変更、改良され得ると共に、本発明にはその等価物が含まれることは勿論である。
【００４６】
例えば、上記実施形態においては、サイドフレームを構成する前側フレーム片と後側フレーム片との間に形成された隙間は、シート幅方向内側にあるものとして説明したが、シート幅方向外側に形成するようにしてもよい。このようにしても、前側フレーム片と後側フレーム片とが幅方向に重なる部分を減らすことができ、接着剤や、固定具によって接合する部位が少なくなるため、組立効率を高めることができる。
【００４７】
また、前側フレーム片と後側フレーム片との相互を固定するリベット等による固定位置に対応させて、サイドフレームを閉断面とするようにしてもよい。このようにすれば、前側フレーム片と後側フレーム片との結合をより強固にすることができる。
【００４８】
また、上記実施形態においては、サイドフレーム部において、後側フレーム片よりも内側に前側フレーム片が組み合わせられているものとして説明したが、この内外の組み合わせ方法は逆であってもよい。このため、後側フレーム片よりも外側に前側フレーム片が組み合わせられている場合には、双方の接合部を確認するための開口は、外側にある前側フレーム片に形成すると好適である。
【符号の説明】
【００４９】
Ｓ  車両用シート
１  シートクッション
１ａ  クッションパッド
１ｂ  表皮材
２  シートバック
２ａ  クッションパッド
２ｂ  表皮材
３  シートフレーム
４  シートバックフレーム
４ｓ  サイドフレーム
４０  後側フレーム片
４０ｓ  後側サイドフレーム部
４０ａ  後面部
４０ｂ  内側部（他端部）
４０ｃ  外側部（一端部）
４１  前側フレーム片
４１ｓ  前側サイドフレーム部
４１ａ  前面部
４１ｂ  内側部（他端部）
４１ｃ  外側部（一端部）
４１ｄ  締結具
４１ｅ，４１ｆ，４１ｇ  延出部
４２  線ばね（弾性部材）
４３  ばね取付部（弾性部材取付部）
４３ａ  通し孔
４４  リベット（固定具）
４５  開口
４６  隙間
４７  接着剤
５  クッションフレーム
６  エアバッグケース
６ａ  締結具
７  アームレスト
７ａ  ブラケット（アームレスト取付部）
７ｂ  回動軸
８ｓ，９ｓ，１０ｓ  サイドフレーム
【図１】
2015098280.tif 000003
【図２】
2015098280.tif 000004
【図３】
2015098280.tif 000005
【図４】
2015098280.tif 000006
【図５】
2015098280.tif 000007
【図６】
2015098280.tif 000008
【図７】
2015098280.tif 000009
【図８】
2015098280.tif 000010
【図９】
2015098280.tif 000011
【図１０】
2015098280.tif 000012